【手続補正書】
【提出日】平成24年2月14日(2012.2.14)
【手続補正１】
【補正対象書類名】明細書
【補正対象項目名】００１０
【補正方法】変更
【補正の内容】
【００１０】
請求項１記載の発明は、画像を撮影する撮像手段と、撮影に関する属性情報が個別に付加された複数の画像データを記録する記録手段と、複数の画像データの撮影に関する属性情報を一元的に記憶して管理する管理記憶手段と、上記撮像手段により新たな画像データが撮影された場合に、指定された項目に対応する属性情報を該画像データに付加して前記記録手段に記録するとともに、この指定された項目以外の項目に対応する属性情報を該画像データに付加することなく上記管理記憶手段に記憶する記憶制御手段とを具備したことを特徴とする。
【手続補正２】
【補正対象書類名】明細書
【補正対象項目名】００１１
【補正方法】変更
【補正の内容】
【００１１】
請求項２記載の発明は、更に、上記管理記憶手段が記憶する属性情報に基づいて上記記録手段に記録した個々の画像データに付加されている属性情報を編集する編集手段を更に備えたことを特徴とする。
請求項３記載の発明は、更に、個々の画像データに付加すべき属性情報の項目を任意に選択する選択手段と、上記選択手段により選択された項目を示す選択情報を記憶する選択情報記憶手段とを更に備え、上記記憶制御手段は、上記撮像手段により新たな画像データが撮影された場合に、上記選択情報記憶手段に記憶された選択情報が示す項目に対応する属性情報を該画像データに付加して前記記録手段に記録するとともに、該選択情報が示す項目以外の項目に対応する属性情報を該画像データに付加することなく上記管理記憶手段に記憶することを特徴とする。
【手続補正３】
【補正対象書類名】明細書
【補正対象項目名】００１２
【補正方法】変更
【補正の内容】
【００１２】
請求項４記載の発明は、更に、上記編集手段は、上記記録手段に記録した個々の画像データに付加されている属性情報に基づいて、上記管理記憶手段が記憶する属性情報を編集することを特徴とする。
【手続補正４】
【補正対象書類名】明細書
【補正対象項目名】００１３
【補正方法】変更
【補正の内容】
【００１３】
請求項５記載の発明は、更に、それぞれ属性情報の項目の組合せが異なる複数のモードから１つを選択するモード選択手段をさらに具備し、上記選択手段は、上記モード選択手段で選択されたモードに基づいて個々の画像データに付加すべき属性情報の項目を選択することを特徴とする。
【手続補正５】
【補正対象書類名】明細書
【補正対象項目名】００１４
【補正方法】変更
【補正の内容】
【００１４】
請求項６記載の発明は、更に、上記複数のモードは、属性情報を構成する項目数を段階的に設定しており、上記モード選択手段は、上記記録手段に記録した画像データの公開対象に応じて上記モードを選択し、上記選択手段は、上記モード選択手段で選択されたモードに基づいて個々の画像データに付加すべきでない属性情報の項目を特定することを特徴とする。
【手続補正６】
【補正対象書類名】明細書
【補正対象項目名】００１５
【補正方法】変更
【補正の内容】
【００１５】
請求項７記載の発明は、更に、上記編集手段は、所定の編集基準に基づいて、上記記録手段に記録する複数の画像データに付加する属性情報を一括して自動的に編集することを特徴とする。
【手続補正７】
【補正対象書類名】明細書
【補正対象項目名】００１６
【補正方法】変更
【補正の内容】
【００１６】
請求項８記載の発明は、更に、上記記録手段で記録する画像データを複数指定する画像指定手段をさらに具備し、上記編集手段は、上記モード選択手段で選択されたモードに基づき、上記画像指定手段で指定した複数の画像データに付加する属性情報を一括して自動的に編集することを特徴とする。
【手続補正８】
【補正対象書類名】明細書
【補正対象項目名】００１７
【補正方法】変更
【補正の内容】
【００１７】
請求項９記載の発明は、更に、上記編集手段は、上記記録手段に記録する画像データに付加されていない項目の属性情報を、上記管理記憶手段が記憶する属性情報から読出して、上記記録手段に記録されている各画像データに付加されている属性情報を自動的に編集することを特徴とする。
【手続補正９】
【補正対象書類名】明細書
【補正対象項目名】００１８
【補正方法】変更
【補正の内容】
【００１８】
請求項１０記載の発明は、更に、上記記録手段に記録する画像データに付加する属性情報の項目を任意に指定する指定手段をさらに具備し、上記編集手段は、上記指定手段で指定した項目に従い、上記記録手段に記録する画像データに付加された属性情報に指定された項目がない場合には上記管理記憶手段が記憶する属性情報から対応項目を読出して追加記録させる一方、上記記録手段に記録する画像データに付加された属性情報に指定外の項目がある場合には当該項目を上記管理記憶手段が記憶する属性情報に移動させることを特徴とする。
【手続補正１０】
【補正対象書類名】明細書
【補正対象項目名】００１９
【補正方法】変更
【補正の内容】
【００１９】
請求項１１記載の発明は、更に、上記管理記憶手段は、上記記録手段で画像データを記録する媒体内に記録することを特徴とする。
【手続補正１１】
【補正対象書類名】明細書
【補正対象項目名】００２０
【補正方法】変更
【補正の内容】
【００２０】
請求項１２記載の発明は、画像を撮影する撮像部と、撮影に関する属性情報が個別に付加された複数の画像データを記録する記録部と、複数の画像データの撮影に関する属性情報を一元的に記憶して管理する管理記憶部とを備えた撮像装置での記録制御方法であって、上記撮像部により新たな画像データが撮影された場合に、指定された項目に対応する属性情報を該画像データに付加して前記記録部に記録するとともに、この指定された項目以外の項目に対応する属性情報を該画像データに付加することなく上記管理記憶部に記憶する記憶制御工程とを有したことを特徴とする。
【手続補正１２】
【補正対象書類名】明細書
【補正対象項目名】００２１
【補正方法】変更
【補正の内容】
【００２１】
請求項１３記載の発明は、画像を撮影する撮像部、と、撮影に関する属性情報が個別に付加された複数の画像データを記録する記録部と、複数の画像データの撮影に関する属性情報を一元的に記憶して管理する管理記憶部とを備えた撮像装置が内蔵するコンピュータが実行するプログラムであって、上記コンピュータを、上記撮像手段により新たな画像データが撮影された場合に、指定された項目に対応する属性情報を該画像データに付加して前記記録手段に記録するとともに、この指定された項目以外の項目に対応する属性情報を該画像データに付加することなく上記管理記憶手段に記憶する記憶制御手段として機能させることを特徴とする。
【手続補正１３】
【補正対象書類名】特許請求の範囲
【補正対象項目名】全文
【補正方法】変更
【補正の内容】
【特許請求の範囲】
【請求項１】
画像を撮影する撮像手段と、
撮影に関する属性情報が個別に付加された複数の画像データを記録する記録手段と、
複数の画像データの撮影に関する属性情報を一元的に記憶して管理する管理記憶手段と、
上記撮像手段により新たな画像データが撮影された場合に、指定された項目に対応する属性情報を該画像データに付加して前記記録手段に記録するとともに、この指定された項目以外の項目に対応する属性情報を該画像データに付加することなく上記管理記憶手段に記憶する記憶制御手段と
を具備したことを特徴とする撮像装置。
【請求項２】
上記管理記憶手段が記憶する属性情報に基づいて上記記録手段に記録した個々の画像データに付加されている属性情報を編集する編集手段を更に備えたことを特徴とする請求項１記載の撮像装置。
【請求項３】
個々の画像データに付加すべき属性情報の項目を任意に選択する選択手段と、
上記選択手段により選択された項目を示す選択情報を記憶する選択情報記憶手段と
を更に備え、
上記記憶制御手段は、上記撮像手段により新たな画像データが撮影された場合に、上記選択情報記憶手段に記憶された選択情報が示す項目に対応する属性情報を該画像データに付加して前記記録手段に記録するとともに、該選択情報が示す項目以外の項目に対応する属性情報を該画像データに付加することなく上記管理記憶手段に記憶することを特徴とする請求項２に記載の撮像装置。
【請求項４】
上記編集手段は、上記記録手段に記録した個々の画像データに付加されている属性情報に基づいて、上記管理記憶手段が記憶する属性情報を編集することを特徴とする請求項２または３に記載の撮像装置。
【請求項５】
それぞれ属性情報の項目の組合せが異なる複数のモードから１つを選択するモード選択手段をさらに具備し、
上記選択手段は、上記モード選択手段で選択されたモードに基づいて個々の画像データに付加すべき属性情報の項目を選択することを特徴とする請求項３または４に記載の撮像装置。
【請求項６】
上記複数のモードは、属性情報を構成する項目数を段階的に設定しており、
上記モード選択手段は、上記記録手段に記録した画像データの公開対象に応じて上記モードを選択し、
上記選択手段は、上記モード選択手段で選択されたモードに基づいて個々の画像データに付加すべきでない属性情報の項目を特定することを特徴とする請求項５記載の撮像装置。
【請求項７】
上記編集手段は、所定の編集基準に基づいて、上記記録手段に記録する複数の画像データに付加する属性情報を一括して自動的に編集することを特徴とする請求項５または６に記載の撮像装置。
【請求項８】
上記記録手段で記録する画像データを複数指定する画像指定手段をさらに具備し、
上記編集手段は、上記モード選択手段で選択されたモードに基づき、上記画像指定手段で指定した複数の画像データに付加する属性情報を一括して自動的に編集することを特徴とする請求項７記載の撮像装置。
【請求項９】
上記編集手段は、上記記録手段に記録する画像データに付加されていない項目の属性情報を、上記管理記憶手段が記憶する属性情報から読出して、上記記録手段に記録されている各画像データに付加されている属性情報を自動的に編集することを特徴とする請求項２乃至８のいずれかに記載の撮像装置。
【請求項１０】
上記記録手段に記録する画像データに付加する属性情報の項目を任意に指定する指定手段をさらに具備し、
上記編集手段は、上記指定手段で指定した項目に従い、上記記録手段に記録する画像データに付加された属性情報に指定された項目がない場合には上記管理記憶手段が記憶する属性情報から対応項目を読出して追加記録させる一方、上記記録手段に記録する画像データに付加された属性情報に指定外の項目がある場合には当該項目を上記管理記憶手段が記憶する属性情報に移動させる
ことを特徴とする請求項２乃至９のいずれかに記載の撮像装置。
【請求項１１】
上記管理記憶手段は、上記記録手段で画像データを記録する媒体内に記録することを特徴とする請求項１記載の撮像装置。
【請求項１２】
画像を撮影する撮像部と、撮影に関する属性情報が個別に付加された複数の画像データを記録する記録部と、複数の画像データの撮影に関する属性情報を一元的に記憶して管理する管理記憶部とを備えた撮像装置での記録制御方法であって、
上記撮像部により新たな画像データが撮影された場合に、指定された項目に対応する属性情報を該画像データに付加して前記記録部に記録するとともに、この指定された項目以外の項目に対応する属性情報を該画像データに付加することなく上記管理記憶部に記憶する記憶制御工程と
を有したことを特徴とする記録制御方法。
【請求項１３】
画像を撮影する撮像部と、撮影に関する属性情報が個別に付加された複数の画像データを記録する記録部と、複数の画像データの撮影に関する属性情報を一元的に記憶して管理する管理記憶部とを備えた撮像装置が内蔵するコンピュータが実行するプログラムであって、
上記コンピュータを、
上記撮像手段により新たな画像データが撮影された場合に、指定された項目に対応する属性情報を該画像データに付加して前記記録手段に記録するとともに、この指定された項目以外の項目に対応する属性情報を該画像データに付加することなく上記管理記憶手段に記憶する記憶制御手段と
して機能させる、コンピュータが読取り可能なプログラム。